(57)【要約】      （修正有）【課題】簡単な操作で、弱い力でも容易に開封可能なプルタブ付き包装箱を提供する。【解決手段】一枚のブランクシートから一体的に打ち抜かれた箱体形成片１２からなり、箱体形成片１２には、互いに平行に連接された側面１４，１６，１８，２０と、側面１４，２０を糊付けする糊付片２２を有する。側面１４，１６，１８，２０で組み立てられた筒状体の開口部を閉鎖する蓋片５２と、蓋片５２の先端に設けられ、側面２０の内側に重ねられて係止される差込片５６を備える。差込片５６が重ねられる側面２０の端部には、プルタブ部３２を備える。プルタブ部３２の一部分は、側面２０の端部から外側に突出する摘み部３４であり、プルタブ部３２の残りの部分は、側面２０の内側に位置する基端部３６である。基端部３６は、側面２０との境界線が破断線３７で区切られ、差込片５６に糊付けされる糊付部３８を備える。【選択図】図２
2009102027.tif 000002
【特許請求の範囲】
【請求項１】
一枚のブランクシートから一体的に打ち抜かれた箱体形成片からなり、この箱体形成片には、互いに平行に連接された側面と、前記側面同士を糊付けする糊付片と、前記側面で組み立てられた筒状体の開口部を閉鎖する蓋片と、前記蓋片の先端に設けられ、前記側面の内側に重ねられて係止される差込片と、前記差込片が重ねられる前記側面の端部に形成されたプルタブ部が設けられ、前記プルタブ部の一部分は前記側面の前記端部から外側に突出する摘み部であり、前記プルタブ部の残りの部分は前記側面の内側に位置する基端部であり、前記基端部は前記側面との境界線が破断線で区切られ、前記差込片に糊付けされる糊付部が設けられていることを特徴とするプルタブ付き包装箱。
【請求項２】
前記プルタブ部の、前記糊付部と前記基端部の境界線には、前記プルタブ部の前記摘み部側が閉鎖され前記側面の中心側に開口されるコの字形の切断線が設けられ、前記切断線の先端には、前記端部に対して平行な折罫線が設けられていることを特徴とする請求項１記載のプルタブ付き包装箱。
【請求項３】
前記プルタブ部の前記摘み部には、透孔が形成されていることを特徴とする請求項１記載のプルタブ付き包装箱。
【発明の詳細な説明】
【技術分野】
【０００１】
この発明は、箱体形成片と一体に、開封用のプルタブが設けられているプルタブ付き包装用箱に関する。
【背景技術】
【０００２】
従来、商品を収容して店頭に陳列する包装用箱には、開封する工夫がされている。特許文献１に開示されている包装箱は、前壁と、一対の側壁と、後壁の４個の側面が組み立てられて設けられ、前壁の上縁には蓋板及び差込片が順次連設して設けられ、差込片の先端縁には、摘み片が突設されている。一対の側壁の上縁に折曲片を設け、後壁の上縁には吊下片が設けられている。
【０００３】
この包装用箱の組み立て方法は、吊下片を途中で前方に折り返し、折曲片を内側へ折り曲げ、蓋板を閉じ、差込片を吊下片と折曲片の間に差し込んで封止する。摘み片は、上方へ折り曲げて蓋板から突出させる。これにより、摘み片は蓋板から上方へ突出し、摘み片を引き上げるだけで開封可能となる。
【特許文献１】特開２００１−２７８２４９号公報
【発明の開示】
【発明が解決しようとする課題】
【０００４】
上記従来の技術の場合、開封前の状態では摘み片は吊下げ片に重ねられて設けられ、開封時には摘み片を吊下げ片から引き起こして保持し、上方へ引き上げなければならず、操作が細かく面倒であった。
【０００５】
この発明は、上記背景技術の問題点に鑑みてなされたものであり、簡単な操作で、弱い力でも容易に開封可能なプルタブ付き包装箱を提供することを目的とする。
【課題を解決するための手段】
【０００６】
本発明は、一枚のブランクシートから一体的に打ち抜かれた箱体形成片からなり、この箱体形成片には、互いに平行に連接された側面と、前記側面同士を糊付けする糊付片と、前記側面で組み立てられた筒状体の開口部を閉鎖する蓋片と、前記蓋片の先端に設けられ、前記側面の内側に重ねられて係止される差込片と、前記差込片が重ねられる前記側面の端部に形成されるプルタブ部が設けられているプルタブ付き包装箱である。前記プルタブ部の一部分は、前記側面の前記端部から外側に突出する摘み部であり、前記プルタブ部の残りの部分は、前記側面の内側に位置する基端部であり、前記基端部は前記側面との境界線が破断線で区切られ、前記差込片に糊付けされる糊付部が設けられている。
【０００７】
また、前記プルタブ部の、前記糊付部と前記基端部の境界線には、前記プルタブ部の前記摘み部側が閉鎖され前記側面の中心側に開口されるコの字形の切断線が設けられ、前記切断線の先端には、前記側面の前記端部に対して平行な折罫線が設けられている。前記プルタブ部の、前記摘み部と前記基端部の境界線にも、折罫線が設けられてもよい。さらに、前記プルタブ部の前記摘み部には、透孔が形成されているものでも良い。
【発明の効果】
【０００８】
本発明のプルタブ付き包装箱は、プルタブ部を引くだけの簡単な操作で蓋片が開封され、高齢者や幼児でも、弱い力で容易に開封可能である。開封時に破片等のゴミが出ることがなく、廃棄処分が簡単である。
【発明を実施するための最良の形態】
【０００９】
以下、この発明の実施形態について図面に基づいて説明する。図１はこの発明の一実施形態を示すもので、この実施形態のプルタブ付き包装箱１０は、箱体を形成する側面のうち、蓋片５２の差込片５６が重ねられた側面２０に開封用のプルタブ部３２が設けられている。プルタブ部３２の一部分は、側面２０の端部２０ａから外側に突出する摘み部３４であり、プルタブ部３２の残りの部分は、側面２０の内側に位置する基端部３６であり、基端部３６は側面２０との境界線が破断線３７で区切られている。プルタブ部３２の摘み部３４は蓋片５２の上方へ突出し、プルタブ部３２の基端部３６は、差込片５６に糊付けられている。この実施形態のプルタブ付き包装箱１０は、手で破断可能な薄さの紙製ブランクシートを打ち抜いて形成された箱体形成片１２を組み立てて設けられている。
【００１０】
図２は箱体形成片１２を表面から見た展開図であり、箱体形成片１２は、側面１４，１６，１８，２０が、互いに平行に連接して形成されている。側面１４，１６，１８，２０はほぼ同じ形状であり、連接している幅方向は長くて連接方向の長さは短く、長細い長方形である。さらに側面２０の側縁部には、プルタブ付き包装箱１０の組立状態で側面１４の裏面に糊付けされる糊付片２２が設けられている。そして、側面１４，１６，１８，２０、糊付片２２は、各々折罫線２４，２６，２８，３０で区切られている。
【００１１】
側面２０の、側面どうしの連接方向に対して直角な方向の一端部２０ａには、プルタブ部３２が設けられている。プルタブ部３２の一部分は、側面２０の端部２０ａから外側に突出する摘み部３４であり、摘み部３４は、先端が徐々に太くなり円形状に形成されている。
【００１２】
プルタブ部３２の摘み部３４以外の部分は、側面２０の内側に位置する基端部３６である。基端部３６の形状は、側面２０の端部２０ａを一辺とする矩形であり、側面２０の内側に位置する一対の角部は角が丸められている。基端部３６は、側面２０との境界線が破断線３７で区切られている。破断線３７は、側面２０を貫通して切断する切断線と、切り残されたアキ部が交互に設けられている。
【００１３】
基端部３６の内側には、糊付部３８が設けられている。糊付部３８は、端部２０ａの延長上に一辺が位置する矩形であり、端部２０ａの延長上に位置する一辺とこの辺の両端部にほぼ直角に連続するコの字形の切断線４０で、基端部３６と区切られている。切断線４０の、互いに平行な両端部の先端は、互いに近づく方へ彎曲して折り返されている。基端部３６には、切断線４０の両端部付近を通過する折曲線４２が設けられている。折曲線４２は、端部２０ａに対してほぼ平行で、基端部３６を横断している。また、基端部３６と摘み部３４の境界線、つまり側面２０の端部２０ａに一致する位置にも、折曲線４３が設けられている。
【００１４】
側面１８の、側面２０の端部２０ａに隣接する端部には、台形状のフラップ４４が折罫線４６で区切られて設けられている。側面１８の、折罫線４６と反対側の端部には、台形状のフラップ４８が折罫線５０で区切られて設けられている。
【００１５】
側面１６の、側面１８の折罫線４６に隣接する端部には、蓋片５２が折罫線５４で区切られて設けられている。蓋片５２の折罫線５４と反対側の端部には、さらに差込片５６が折罫線５８で区切られて設けられている。側面１６の、折罫線５４と反対側の端部には、蓋片６０が折罫線６２で区切られて設けられている。蓋片６０の折罫線６２と反対側の端部には、さらに差込片６４が折罫線６６で区切られて設けられている。
【００１６】
側面１４の、側面１６の折罫線５４に隣接する端部には、台形状のフラップ６８が折罫線７０で区切られて設けられている。側面１６の、折罫線７０と反対側の端部には、台形状のフラップ７２が折罫線７４で区切られて設けられている。
【００１７】
次に、この実施形態のプルタブ付き包装箱１０の組立方法の一例について説明する。なお、ここでは図２がプルタブ付き包装箱１０の箱体形成片１２の表面を見たものであり、箱体形成片１２の表面が凸になる折り方を正折り、そして裏面が凸になる折り方を逆折りと称する。
【００１８】
まず、折罫線２８を正折りして糊付片２２の表面に糊７６を塗布する。次に、折罫線２４を正折りし、側面１４の裏面が糊７６により糊付片２２の表面に糊付けされる。次に商品を収容し包装する工場等において、折罫線２４，２６，２８，３０を各々９０度に正折りして四角形の箱体にする。次に、折罫線５０，７４でフラップ４８，７２を９０度に正折りし、その後折罫線６２で蓋片６０を９０度に正折りし、差込片６４を折罫線６６で正折りし、差込片６４を側面２０の裏面側に差し込んで係止し、一方の端部が形成される。さらに、折罫線４６，７０でフラップ４４，６８を９０度に正折りし、折罫線５４で蓋片５２を９０度に正折りし、差込片５６を折罫線５８で正折りし、差込片５６を側面２０の裏面側に差し込む。このとき、側面２０のプルタブ部３２に隣接した糊付部３８の裏面に糊７８を塗布し、差込片５６の表面が糊７８によりプルタブ部３２の糊付部３８の裏面に糊付けされる。これにより、他方の端部が形成される。なお、箱体形成片１２を組み立てる順番はこれ以外でもよく、適宜変更可能である。
【００１９】
次に、この実施形態のプルタブ付き包装箱１０の開封方法について説明する。図１（ａ）は、プルタブ付き包装箱１０が未開封の状態である。このときプルタブ部３２の摘み部３４は、側面２０の延長上に、端部２０ａや蓋片５２よりも外側に突出する。プルタブ付き包装箱１０を開封するときは、摘み部３４を持って一旦側面２０の側方にプルタブ部３２を引いて、さらに上方に引き上げる。すると、プルタブ部３２の基端部３６と側面２０の境界である破断線３７のアキ部が切断され、プルタブ部３２は側面２０と分離する。さらにプルタブ部３２を上方に移動させると、図１（ｂ）に示すようにプルタブ部３２の糊付部３８に糊付けされた差込片５６はプルタブ部３２と共に上方へ移動し、蓋片５２が側面２０から離れ、側面１４，１６，１８，２０で組み立てられた筒状体の開口部から開き、開封される。
【００２０】
この実施形態のプルタブ付き包装箱１０によれば、簡単な構造で、簡単な操作により容易に開封することができる。開封する操作は、側面２０の外側に突出するプルタブ部３２を持って引き上げるだけの単純なものであり、高齢者や障害者でも、プルタブ部３２を引いて容易に破断線３７を破り、円滑に開封することができる。プルタブ部３２は側面２０の外側に突出しているため、開封方法がわかり易い。またプルタブ部３２は大きくてシンプルな形状であり、保持し易くて力を入れやすいものであり、力が弱い使用者でも開封することができる。開封時に破片等のゴミが発生せず、破棄処分が簡単である。プルタブ部３２の基端部３６には、切断線４０と折罫線７０が設けられ、図１（ｂ）に示すように開封する際に差込片５６の角度が変わっても、折曲線４２が逆折りされてプルタブ部３２の摘み部３４を一定の角度に保持して開封することができる。
【００２１】
なお、この実施形態のプルタブ付き包装箱１０は、図３に示すようにプルタブ部３２の摘み部３４の中心に、円形の穴部８０が設けられてもよい。穴部８０を設けることにより、プルタブ部３２の穴部８０に指や棒等を入れて開封することができ、力が弱い人や手が不自由な人でも開封することができる。穴部８０の形状は、自由に変形可能であり、図４に示すようにかまぼこ形などでもよく、側面２０の端部２０ａに達する大きさでもよい。
【００２２】
なお、この発明のプルタブ付き包装箱１０は、上記の実施形態に限定されるものではなく、箱体の形状は収容する製品に合わせて適宜変更可能であり、プルタブ部の位置や、摘み部の形状等も適宜変更可能である。
【図面の簡単な説明】
【００２３】
【図１】この発明の一実施形態のプルタブ付き包装箱の開封前の状態を示す斜視図（ａ）と、開封後の状態を示す斜視図（ｂ）である。
【図２】この実施形態のプルタブ付き包装箱の展開図である。
【図３】この実施形態のプルタブ付き包装箱の変形例を示す展開図である。
【図４】この実施形態のプルタブ付き包装箱の変形例を示す展開図である。
【符号の説明】
【００２４】
１０  プルタブ付き包装箱
１２  箱体形成片
１４，１６，１８，２０  側面
２２  糊付片
３２  プルタブ部
３４  摘み部
３６  基端部
３７  破断線
３８  糊付部
４０  切断線
５２，６０  蓋片
５６，６４  差込片
【図１】
2009102027.tif 000003
【図２】
2009102027.tif 000004
【図３】
2009102027.tif 000005
【図４】
2009102027.tif 000006